(57)【特許請求の範囲】
【請求項１】
複数のフィラメントで構成された糸状体の開繊幅を制御するための装置であって、前記開繊した糸状体が走行する走行路の一方の側面に非接触状態で前記糸状体と対向する対向壁と、この対向壁に形成され、かつ糸状体に気体を噴出するための噴出口と、この対向壁の両側部に、前記開繊した糸状体の両側部と非接触状態で形成された側壁と、前記両側壁部及び前記噴出口からの噴出気体と関連して、前記対向壁の両側部に形成された加圧気体溜部とを備えている制御装置。
【請求項２】
走行する糸状体に対して非接触状態で対向する対向壁を有するボックスと、このボックス内に加圧気体を導入するための導入口と、前記ボックスの対向壁に形成され、かつ導入された気体を開繊した糸状体に噴出するためのスリット状噴出口と、前記ボックスのうち糸状体と対面する対向壁の両側部に、前記開繊した糸状体の両側部と非接触状態で形成された側壁と、これらの両側壁からそれぞれスリット状噴出口の側部方向に糸状体と非接触状態で延びる延出部と、前記両側壁部、延出部及び前記噴出口からの加圧気体と関連して、前記対向壁の両側部に形成された加圧気体溜部とを備えている請求項１記載の制御装置。
【請求項３】
両側壁の先端部がスリット状噴出口の両側部方向に延出し、気体溜部を形成している請求項１記載の制御装置。
【請求項４】
両側壁の先端部から延出する延出部がスリット状噴出口の両側部をカバーしている請求項１記載の制御装置。
【請求項５】
複数のフィラメントで構成され、かつ開繊した糸状体の開繊幅を、糸状体を走行させながら非接触式で制御するための方法であって、走行する開繊した糸状体に対して糸状体の幅方向全体に加圧気体を噴出させ、このスリット状噴出口の両側部で加圧気体を滞留させ、開繊された糸状体の開繊幅を制御する制御方法。
【発明の詳細な説明】
【技術分野】
【０００１】
本発明は、フィルタプラグなどの巻き上げ工程での糸状体のエア開繊などに有用であり、繊維糸状体（捲縮された繊維糸状体など）の開繊幅を非接触式で制御可能な制御装置及び制御方法に関する。
【背景技術】
【０００２】
化学繊維や合成繊維のステープルファイバーや、特定の用途のフィラメントファイバには、糸に膨らみをもたせ、紡績作業を容易にするため、一般に捲縮が付与されている。特に、たばこフィルタに用いられるセルロースアセテート繊維には、捲縮が付与されている。また、捲縮されたフィラメントファイバは、立方体の梱包容器内にベール状に梱包されるとともに、輸送効率の点から、ベールにおいて糸状体の集積物は脱気・圧縮され、強く固着した状態で輸送される。そして、糸状体は、最終製品（例えば、フィルタプラグ）を製造するため、ベールから糸状体を取り出して、開繊され所望の形状を附与される。より詳細には、ベールから取り出された一本の糸状体では、フィラメントの多くが、目視で視認できるほどの塊として固着している。フィラメントが固着し、揃っていると（整合と称される）、その部分にチャンネル（空隙）が生じ、タバコフィルタとして用いると煙がチャンネル部を通過し、生理用品などの綿状態として用いると、液体がチャンネル部を通過する。さらに、捲縮された糸状体のフィラメントでは、糸状体の長さ方向に対して斜め方向に横切って延びるフィラメント（クロスオーバーCROSS-OVERしたフィラメント）が存在する。このクロスオーバーしたフィラメントは、開繊において、糸状体が横方向に広がることを妨げる。そのため、糸状体の嵩を高くして、所定形状に賦形するため、糸状体に適度な張力を作用させた後、フィラメントを弛緩させ、隣接するフィラメントを互いに解きほぐす開繊を行っている。この開繊においては、隣接するフィラメントがお互いに離れ、フィラメント間に空間が確保されている状態にすること、糸状体の幅方向でのフィラメントの分布（存在密度）が均一であること、フィラメントに適度な張力を与えられることが必要である。
【０００３】
捲縮された糸状体の開繊方法として、繊維束を少なくとも２組の金属ロールと硬質ゴムロールからなるロール対の間を通し、下流側のロール対の周速度を上流側のロール対の周速度よりも大きくして、繊維束に張力を作用させて引き伸ばした後、繊維束を弛緩させる方法が知られている。なお、２組のロール対において、上流側のロール対はフィードロール、下流側のロール対はレシオロールと称されている。また、開繊に伴って糸状体を幅方向に拡げるため、少なくとも一方のロール対の金属ロールの表面には螺旋状の凹凸溝を形成する場合がある。
【０００４】
一方、たばこ商品の低タール化が進行するのに伴って、たばこ煙に対する濾過性能が高いたばこフィルタが要望されている。このような要望に答えるため、フィルタ用の素材にも、濾過性能の指標である通気抵抗をより高くできる単繊維繊度の小さな繊維素材が使用されるようになっている。しかし、単繊維繊度が小さくなると、繊維の強度が低下するため、開繊処理によりフィラメント切れ（摩擦によりフィラメントの単繊維の一部より毛羽が生じること）が生じ易くなる。そのため、フィルタプラグ巻上作業において、フィラメント切れにより発生した繊維片「フライ」が、巻上げ機の各部に付着する。そして、糸状体の繊維に対する可塑剤を含むフライが巻き上げ過程で糸状体に混入すると、大きな問題を起こす場合がある。例えば、セルロースアセテート繊維を用いたフィルタプラグ巻上過程では、巻き上げ機の種々の部位（例えば、トリアセチンを代表とする可塑剤を添加する添加ユニット）にフライが付着し、凝集した可塑剤を含むフライが巻き上げに伴って、フィルタプラグ中に混入すると、可塑剤がたばこフィルタの一部を溶解し、メルトホールが生成し、不良品が発生する。なお、可塑剤は、一部の繊維表面を部分的に溶解して繊維相互を接着させる接着点を生じさせ、フィルタプラグの硬度を高めるために添加される。
【０００５】
前記フライは、単繊維繊度が小さいほど、また繊維束の引き延ばし割合、すなわち開繊比が大きくなるほど、より多量に発生する。また、フライは、フィルタプラグ巻上機のロール対、及びプリテンションロールなどのニップ圧力の上昇によっても増加する。さらに、近年の巻き上げ速度の高速化はフライの発生を増大させる。
【０００６】
特開２０００−１５７２４６号公報（特許文献１）には、少なくとも２組以上のロール対の間で、捲縮を有するフィルター材料を引き伸ばして開繊処理を行い、円棒状に成形するたばこフィルターの製造装置において、前記ロールの少なくとも１つのロール表面に、ロール表面の凹凸溝のピッチと単繊維繊度と総繊度との所定の関係式を満たす凹凸溝を形成することが開示されている。この装置ではフライ総量を減少できる。しかし、メルトホール（溶解）の原因となるフライの削減には余り有効ではない。
【特許文献１】特開２０００−１５７２４６号公報（特許請求の範囲）
【発明の開示】
【発明が解決しようとする課題】
【０００７】
従って、本発明の目的は、糸状体の開繊工程においてフライの発生を大きく抑制できる制御装置及び制御方法を提供することにある。
【０００８】
本発明の他の目的は、ベールからの糸状体の開繊幅を安定化しつつ糸状体を走行でき、フライの発生を低減できる制御装置及び制御方法を提供することにある。
【０００９】
本発明のさらに他の目的は、糸状体の開繊幅を安定化又は規制するためのガイドを用いることなく、非接触で糸状体を安定に走行できる制御装置及び制御方法を提供することにある。
【００１０】
本発明の別の目的は、単繊維繊度が小さい糸状体を高速で巻き上げても、メルトホール（溶解）の原因となるフライの生成量を減少できる制御装置及び制御方法を提供することにある。
【課題を解決するための手段】
【００１１】
本発明者らは、前記課題を達成するため鋭意検討した結果、（１）開繊前後での糸状体の幅を安定化させるために配設されていたガイドが糸状体と接触して、フライの発生要因となっていること、（２）ベール内での糸状体同士が様々な態様で固着し、糸状体をベールから繰り出す張力や速度が変動するため、糸状体の幅が変動し、前記ガイドと接触すること、（３）糸状体の開繊幅を非接触式に制御すると、フライの発生を顕著に防止できることを見いだし、本発明を完成した。
【００１２】
すなわち、本発明の制御装置は、複数のフィラメントで構成された糸状体（又はトウ）の開繊幅を制御するための装置であって、前記開繊した糸状体が走行する走行路の一方の側面に非接触状態で前記糸状体と対向する対向壁と、この対向壁に形成され、かつ糸状体に気体を噴出するための噴出口と、この対向壁の両側部に、前記開繊した糸状体の両側部と非接触状態で形成された側壁と、前記両側壁部及び前記噴出口からの噴出気体と関連して、前記対向壁の両側部に形成された加圧気体溜部とを備えている。この装置は、走行する糸状体（又はトウ）に対して非接触状態で対向する対向壁を有するボックスと、このボックス内に加圧気体を導入するための導入口（又はポート）と、前記ボックスの対向壁に形成され、かつ導入された気体を開繊した糸状体に噴出するためのスリット状噴出口と、前記ボックスのうち糸状体と対面する対向壁の両側部に、前記開繊した糸状体の両側部と非接触状態で形成された側壁と、これらの両側壁からそれぞれスリット状噴出口の側部方向に糸状体と非接触状態で延びる延出部（スリット状噴出口からの噴出気体の漏出を規制するための延出部）と、前記両側壁部、延出部及び前記噴出口からの加圧気体と関連して、前記対向壁の両側部に形成された加圧気体溜部とを備えていてもよい。また、前記両側壁の先端部がスリット状噴出口の両側部方向（内方向又は閉じ方向）に延出し、気体溜部を形成してもよい。前記気体溜部を有効に形成するため、前記両側壁の先端部から延出する延出部（又はカバー部材）は、スリット状噴出口の両側部をカバーしてもよい。
【００１３】
なお、対向壁の側部と側壁と延出部とで断面コ字状又はＵ字状の内周壁を形成してもよい。対向壁の側部と側壁と延出部とで断面コ字状又はＵ字状の気体溜部（例えば、コ字状ガイド部）を形成してもよい。なお、気体の滞留性を向上させるため、対向壁に対して対向する板材を配設し、対向壁と板材との間に、糸状体（又はトウ）を非接触状態で走行させてもよい。
【００１４】
スリット状噴出口は、直線状、屈曲状、湾曲状などであってもよく、糸状体の走行方向に対してスリット状噴出口の長手方向の中央部が下流側に位置するＶ字状又はＵ字状の形態で形成してもよい。また、糸状体（又はトウ）は、捲縮された繊維糸状体であってもよく、単繊維繊度１０ｄｔｅｘ以下のフィラメントで構成してもよい。さらに、糸状体はセルロースアセテートで構成してもよい。前記制御装置は、種々の開繊ラインで使用できるが、糸状体に対する可塑剤の添加ユニットの上流側に設けてもよい。
【００１５】
本発明の方法では、複数のフィラメントで構成され、かつ開繊した糸状体（又はトウ）の開繊幅を、糸状体を走行させながら非接触式で制御する。すなわち、走行する開繊した糸状体に対して糸状体の幅方向全体に加圧気体を噴出させ、このスリット状噴出口の両側部で加圧気体を滞留させ、開繊された糸状体の開繊幅を制御する。この方法では、気体の噴出により糸状体を開繊しつつ糸状体の走行位置を制御することもできる。
【００１６】
このような装置及び方法では、スリット状噴出口の両側部で加圧気体（噴出気体）の漏出を抑制しつつ加圧気体の溜部を形成できるので、糸状体の走行位置がずれると、気体溜部に滞留する気体の圧力により、ずれ方向では気体圧が大きくなり反対方向では気体圧が小さくなる。そのため、糸状体の開繊幅（又は走行位置）をガイドするためのガイドピンを用いることなく、糸状体の走行位置及び開繊幅を、非接触式にしかも何らの電気的電子的装置を用いることなく、単に単純な機械的構造により自動的に修正できる。また、開繊糸状体の走行位置が非接触状態で制御できるため、フィラメント切れがなく、フライの生成を顕著に低減できる。さらに、可塑剤を添加する添加ユニットに適用しても、フライの生成がないため、繊維束又はフィルタプラグにメルトホールが殆ど発生しない。
【発明の効果】
【００１７】
本発明では、糸状体に対して対向する対向壁の両側部に加圧気体溜部を形成するため、糸状体の開繊工程において、糸状体の走行ライン及び糸状体の開繊幅を自動的にコントロールでき、糸状体を安定に走行させることができる。すなわち、糸状体の走行ラインをコントロールできるとともに、気体溜部の気体圧により糸状体の開繊幅を自動的に調整でき、フライの発生を大きく抑制できる。また、糸状体の開繊幅を安定化又は規制するためのガイドを用いることなく、非接触式でありながら、ベールからの糸状体の開繊幅を安定化しつつ糸状体を安定に走行でき、開繊幅のバラツキを小さくできる。そのため、他の治具と非接触状態で開繊できフィラメント切れを抑制でき、フライ・ケバの発生を低減できるだけでなく、フィルタプラグの製造において、可塑剤の添着量を安定化できるとともに通気抵抗のバラツキを減少できる。特に、単繊維繊度が小さい糸状体を高速で巻き上げてもフィラメント切れを抑制できるので、メルトホール（溶解）の生成を有効に防止できる。
【発明を実施するための最良の形態】
【００１８】
以下に、必要に応じて添付図面を参照しつつ本発明を詳細に説明する。図１はたばこフィルタプラグの巻き上げ装置を示す概略図である。
【００１９】
なお、本明細書において、「開繊幅」とは、複数の開繊ユニットを利用して開繊する場合、広義には、最初の開繊ユニット（例えば、図示する例では、開繊ユニット１０）の上流端から最終の開繊ユニット（例えば、図示する例では、開繊ユニット１２）の下流端の間の任意の箇所での糸状体の走行方向に対して直角方向の長さ（幅）を示し、狭義には、最終の開繊ユニットでの糸状体の走行方向に対して直角方向の長さ（幅）を示す。本明細書では、「開繊幅」とは、広義の開繊幅のみならず狭義の開繊幅も含む意味に用いる。
【００２０】
図示する装置において、梱包容器１には、捲縮され、平均単繊度１〜５ｄｔｅｘのフィラメントファイバ（セルロースアセテート繊維）で構成された糸状体（又はトウ）Ｓが、ベール状の形態で、集積して（すなわち折り畳んで）圧縮して収容されている。前記装置は、梱包容器１からのベール状糸状体Ｓが掛け渡されたガイドロール２と、このガイドロールに掛け渡された糸状体Ｓを引っ張るためのフィードロール３と、このローラで引っ張られた糸状体Ｓを、可塑剤添加ユニット６に供給するためのレシオロール４及びデリバリロール５と、添加ユニット６で可塑剤が添加された糸状体Ｓをエアージェット８に送るための送りロール７と、エアジェットで吸引された糸状体Ｓを渦巻き状に巻き取って収束させるためのロート状のトランペットガイド９とを備えている。このトランペットガイド９からの繊維収束体（棒状体又はトウ状繊維束）は、巻き取り紙で巻き取られて糊付けされ、所定長さに切断してフィルタプラグが得られる。なお、開繊に伴って糸状体Ｓを幅方向に拡げるため、適当なロール対のうち少なくとも一方のロールの表面には螺旋状の凹凸溝を形成してもよい。例えば、レシオロール４及びデリバリロール５のうち少なくとも一方のロール対において、少なくとも一方のロール表面には、ロールの回転に伴って糸状体Ｓを幅方向に拡げるため、所定ピッチで形成された螺旋状凹凸溝を形成してもよい。
【００２１】
さらに、前記装置は、ガイドロール２の上流側には糸状体Ｓを開繊するための第１の開繊ユニット１０が配設され、フィードロール３、および添加ユニット６の上流側（直前の上流側）には、それぞれ、糸状体Ｓをさらに開繊するための第２及び第３の開繊ユニット１１，１２が配設されている。各開繊ユニット１０〜１２は、二つの板材間を走行する糸状体Ｓに対して、幅方向に延びる細いスリット（スリット状噴出口）からエアーを吹き付けるためのバンディングジェット（ＢＪ）で構成できる。この吹き付けにより、幅１０〜２０ｍｍ程度の捲縮フィラメントの糸状体Ｓを幅１０〜３０ｃｍ程度に拡げて開繊できる。特に、第２の開繊ユニットでは、所定幅に開繊され、フィードロール３を通過した糸状体Ｓには、レシオロール４よりもデリバリロール５の周速が大きいため、レシオロール４とデリバリロール５との間の周速差により、張力が作用し捲縮が開放され開繊される。そして、デリバリロール５を通過した後、糸状体Ｓに作用する張力は弛緩され、第３の開繊ユニット１２に送られ、所定幅で開繊した糸状体Ｓは、可塑剤を添加するための添加ユニット６で可塑剤が添加される。
【００２２】
このような装置（巻き上げ装置）でフィルタプラグを製造する際、糸状体Ｓの走行位置の補正、及び開繊幅を制限するため、通常、開繊ユニット１０〜１２（例えば、第２の開繊ユニット１１）の両側部には、所定の開繊幅でトウ状糸状体Ｓを安定に走行させるためバーが配置されている。しかし、糸状体の走行位置や開繊幅の変動によりこのバーにトウ状糸状体Ｓの側部が接触するとフィラメント切れが生じ、フライやケバが発生したり、トウ状糸状体Ｓの端部が二重に折れ曲がって開繊され、フィルタプラグの品質を低下させる。さらに、可塑剤を含むフライの凝集物又は堆積物がフィルタプラグ内に混入すると、メルトホール（溶解）を生成させる。
【００２３】
そして、このような品質不良の原因を検討したところ、特にメルトホール（溶解）の原因となるフライの堆積部位は可塑剤添加ユニット６の部位であり、この添加ユニット６に堆積するフライを減少させるのがメルトホールの生成防止に有効であること、開繊工程での糸状体Ｓの開繊前後の幅が変動することにより、可塑剤添加ユニット６の部位に堆積するフライが発生すること、ベール内で糸状体Ｓ同士が様々な態様で固着し、糸状体Ｓをベールから繰り出す張力や速度が大きく変動するため、糸状体Ｓの開繊幅が変動することが判明した。一方、ベール梱包は輸送効率上最も経済的である。そのため、ベール梱包の糸状体Ｓを用いながら、糸状体Ｓの開繊幅を安定化させることが必要となる。
【００２４】
そこで、本発明では、非接触式幅制御手段又は走行制御手段を設け、治具と接触させることなく糸状体Ｓの開繊幅を安定化しつつ糸状体Ｓを安定に走行させる。すなわち、図２及び図３に示されるように、第２の開繊ユニット１１では、開繊した糸状体Ｓが走行する走行路の一方の側面には、走行する糸状体Ｓに対して非接触状態で対向する平坦な対向壁２２を有するボックス２０が配設され、このボックス２０には、ボックス２０内に加圧気体を導入するための導入口（ポート）２１が形成され、前記ボックス２０の対向壁２２には、導入された加圧気体を開繊した糸状体Ｓに噴出するため、糸状体Ｓの開繊方向（幅方向）に延びるスリット状噴出口２３が形成されている。このスリット状噴出口２３は、糸状体Ｓの走行方向に対してスリット状噴出口２３の長手方向の中央部が下流側に位置するＶ字状の形態で形成されている。前記対向壁２２の噴出口２３側（フロント側）には、糸状体Ｓの走行路を隔てて、対向壁２２に対して対向する板材（対向板材）２４が配設され、対向壁２２と板材（対向板材）２４とは、対向壁２２の両側部に位置し、前記開繊した糸状体Ｓの両側部と非接触状態で形成された側壁２５ａ，２５ｂを介して互いに取り付けられている。そのため、対向壁２２と板材２４と両側壁２５ａ，２５ｂとで、糸状体Ｓの走行方向の両端が開口した枠体又はボックスが形成され、対向壁２２と板材（対向板材）２４との間に形成された開口部（糸状体Ｓの走行空間又は間隙）２６を、糸状体Ｓが非接触状態で走行可能である。
【００２５】
そして、対向壁２２と板材（対向板材）２４との間に形成された開口部（走行空間）２６の両側部、すなわち両側壁２５ａ，２５ｂの上下端部からは、それぞれ、スリット状噴出口２３からの噴出気体の漏出を規制するため、糸状体Ｓと非接触状態で、それぞれスリット状噴出口２３の側部又は端部方向（内方向又は閉じ方向）に延出部（又は両端閉塞カバー部、カバー壁）２７ａ，２７ｂが延出している。特に、スリット状噴出口２３の側部又は端部方向に向かって延びる延出部（又は閉塞カバー部）２７ａ，２７ｂは、スリット状噴出口２３の両側部をカバーしている。そのため、前記延出部２７ａ，２７ｂにより開口部２６の両側部では噴出気体の漏出が抑制され、前記両側壁部２５ａ，２５ｂと延出部２７ａ，２７ｂと前記噴出口２３からの加圧気体とに関連して、前記対向壁２２の両側部には断面コ字状加圧気体溜部２８ａ，２８ｂが形成される。すなわち、気体溜部は、内部が空洞であり、かつ走行する糸状体の両側部側で開口したボックス状壁により形成されている。
【００２６】
延出部が存在しない場合には、気体溜部は、三方向が対向壁２２、側壁２５ａ，２５ｂ、板材２４で囲まれ、一方向が糸状体で囲まれた構造となり、糸状体の走行方向を上下方向とすると、気体溜部の上端部（上面）及び下端部（下面）が開放された形状となり、延出部が存在する場合は、糸状体の走行状態において、気体溜部の上端部（上面）及び下端部（下面）のほとんどが延出部２７ａ，２７ｂにより塞がれた形状となる。
【００２７】
このような開繊ユニット１１では、走行する糸状体Ｓに対して糸状体Ｓの幅方向全体に亘ってスリット状噴出口２３から加圧気体を噴出させて糸状体Ｓを開繊できるとともに、スリット状噴出口２３の両側部において、前記延出部（閉塞カバー部）２７ａ，２７ｂにより加圧気体の漏出を抑制しつつ加圧気体を滞留させて加圧気体の溜部２８ａ，２８ｂを形成できる。すなわち、開口部２６において糸状体Ｓ以外の領域（間隙部）からは噴出気体が自由に逸散するが、前記延出部（閉塞カバー部）２７ａ，２７ｂにより、自由な気体の流れが阻害され、噴出気流は、主に、延出部（閉塞カバー部）２７ａ，２７ｂで覆われたカバー部と糸状体Ｓの走行部との間の間隙から流出するようになる。そのため、気体の噴出により糸状体Ｓの開繊幅を安定化しつつ糸状体Ｓの走行位置を制御できる。すなわち、糸状体Ｓの走行位置がずれると、気体溜部２８ａ，２８ｂに滞留する気体圧は、ずれ方向では気体圧が大きくなり反対方向では気体圧が小さくなる。そのため、糸状体Ｓの開繊幅（又は走行位置）をガイド又は制限するためのガイドピンを用いることなく、糸状体Ｓの走行位置及び開繊幅を非接触式に自動的に修正できる。また、開繊糸状体Ｓとの接触部がなく、開繊糸状体Ｓの走行位置が非接触状態で制御できるため、フィラメントの糸切れがなく、フライ・ケバの生成を顕著に低減でき、繊維束又はフィルタプラグにメルトホールが発生するのを防止できる。なお、ケバとは、可塑剤の添加ユニット６内で浮遊するフライを意味する。
【００２８】
さらに好適なことは、気体（エア）を用いることにより、糸状体Ｓの開繊幅を制御するための制御力と開繊幅との間に相関関係が得られることである。すなわち、圧縮梱包されたベールの繰り出し操作においては、ベールの固着の状態により張力が変動し、糸状体Ｓの幅が変化する。しかし、糸状体Ｓの幅が変動しても、気体（エア）の流れにより糸状体Ｓの開繊幅を制限できる。より詳細には、例えば、糸状体Ｓの開繊幅が広がると、前記延出部（又は閉塞カバー部）２７ａ，２７ｂと走行する糸状体Ｓの両側部との間の空間が小さくなるが、所定の流量で気体（エア）が流れているため、気流による所定の気体圧により過剰に糸状体Ｓが広がるのを規制  又は抑制できる。すなわち、糸状体Ｓの幅がさらに広がるためには、前記気流による気体圧に打ち勝つ必要があるが、開口部２６の両側部（気体溜部２８ａ，２８ｂ）の気体圧が高いため、開繊幅を狭くする方向に気体圧が作用し、過大な開繊及び走行位置ずれが防止される。一方、張力の変動により糸状体Ｓの開繊幅が狭まると、前記延出部（又は閉塞カバー部）２７ａ，２７ｂと走行する糸状体Ｓの両側部との間の空間が大きくなり、開口部の両側部（気体溜部）の気体圧が低下するため、開繊幅が拡大し易くなる。このように、気体圧を利用することにより、糸状体（トウ）Ｓを非接触状態で走行させながら、糸状体（トウ）Ｓの走行ラインの矯正、および開繊幅を自動的に制御しつつ糸状体を有効に開繊できる。
【００２９】
さらに、糸状体Ｓの開繊幅のバラツキが小さくなるため、可塑剤の添加量及びフィルタプラグの硬度を安定化できる。すなわち、可塑剤添加ユニット６内部では全体に亘り可塑剤が噴霧されており、このようなユニット６内を糸状体Ｓが走行することにより可塑剤が添加される。そのため、糸状体Ｓの開繊幅が小さくなると、糸状体Ｓに対する可塑剤の添加量も少なくなり、フィルタ硬度（フィルタプラグ硬度）に影響を与える。このように、フィルタプラグ巻き上げ装置では、開繊幅は、糸状体Ｓに対する可塑剤の添加量に大きく影響し、開繊幅を安定化させることは、可塑剤の添着量を安定化させることに密接に関わる。また、フィルタプラグの品質指標である通気抵抗のバラツキ（ＰＤ．ＣＶ）も改善できる。
【００３０】
なお、糸状体（又はトウ）は、複数のフィラメントで構成されており、フィラメントとしては、用途に応じて種々の繊維、例えば、ポリエステル系繊維、ポリアミド系繊維、アクリル系繊維、オレフィン系繊維、セルロースエステル系繊維などが例示できる。繊維は単繊維であってもよく複合繊維であってもよく混紡繊維であってもよい。フィルタ（特にたばこフィルタ）を構成する繊維としては、ポリオレフィン系繊維、ポリビニルアルコール系繊維（特に、ビニロン、レーヨンなどのポリビニルアルコール系樹脂の誘導体の繊維）、セルロースエステル系繊維（セルロースジアセテート、セルローストリアセテート、セルロースアセテートプロピオネートなどのセルロースアセテート系繊維）などが例示できる。フィルタ（特にたばこフィルタ）において好ましい繊維は、ポリオレフィン系繊維、セルロースアセテート系繊維である。たばこフィルタ用糸状体（又はトウ）は、通常、セルロースアセテートで構成されている。なお、繊維の断面形状は、円形状であってもよく、異形状（例えば、楕円状、多角形状、Ｔ，Ｉ，Ｙ，Ｘ字状など）であってもよい。セルロースエステル系繊維（セルロースアセテート系繊維など）以外の繊維を用いる場合、その繊維を膨潤又は溶解させて粘着性を附与する溶媒や、それ自体粘着性や接着性を有する物質を可塑剤として用いることができる。
【００３１】
糸状体を構成するフィラメント（繊維）の単繊維繊度は特に制限されず、種々の繊度０．１〜２０ｄｔｅｘ程度の繊維が使用できるが、濾過性能を向上させるためには、単繊維繊度が小さいのが好ましい。フィラメント（繊維）の単繊維繊度は１０ｄｔｅｘ以下（０．１〜８ｄｔｅｘ）、好ましくは０．３〜７ｄｔｅｘ、さらに好ましくは０．５〜５ｄｔｅｘ（例えば、１〜４ｄｔｅｘ）程度であり、２．５ｄｔｅｘ以下（例えば、０．５〜２ｄｔｅｘ）程度であってもよい。
【００３２】
糸状体は、非捲縮繊維で構成してもよいが、嵩高さを付与するとともに、紡績作業性及び濾過性などを向上させるため、捲縮された繊維糸状体である場合が多い。平均捲縮度は、例えば、１０〜８０回／ｃｍ、好ましくは１５〜７５回／ｃｍ、さらに好ましくは２０〜７０回／ｃｍ程度であってもよい。また、総繊度は、フィラメントの繊度、糸状体の用途などに応じて１０００〜１０００００ｄｔｅｘ程度の範囲から選択でき、例えば、５０００〜８００００ｄｔｅｘ（例えば、１００００〜８００００ｄｔｅｘ）、好ましくは２００００〜７５０００ｄｔｅｘ、さらに好ましくは３００００〜６００００ｄｔｅｘ程度であってもよい。
【００３３】
本発明において、糸状体は、非圧縮状態の集積体であってもよいが、通常、輸送効率を高めるため、ベール状の形態で梱包（特に圧縮梱包）された糸状体である場合が多い。本発明では、繰り出し張力が変動する圧縮梱包された糸状体（圧縮梱包体）であっても、糸状体を安定に走行させながら円滑に開繊でき、繊維糸状体を嵩高くできる。
【００３４】
糸状体の巻き上げ速度（走行速度）は特に制限されず、生産性の点から、通常、１００〜１０００ｍ／分程度の範囲から選択でき、２００〜８００ｍ／分（例えば、３００〜７００ｍ／分）程度であってもよい。
【００３５】
本発明の装置において、幅制御手段又は走行制御手段を構成する対向壁は前記ボックスに形成する必要はなく、走行する糸状体に対して対向し、かつ糸状体に対して気体を噴出可能であればよい。例えば、対向する対向壁を走行する糸状体に対して対向する板材（プレート）で構成し、この板材の裏面側に、走行する糸状体の幅方向全体に対して気体を噴射可能な単一又は複数の噴出口を形成してもよい。また、対向壁は、前記糸状体が走行する走行路の一方の側面に非接触状態で、前記糸状体と対向して配設すればよく、対向壁は平坦壁である場合が多いが、走行する糸状体と非接触である限り、湾曲していてもよい。例えば、開口部からの噴出気体の漏出を抑制するため、対向壁は、糸状体の走行方向に対して中央部が窪み、両端部がフロント方向に延出した湾曲面を有していてもよい。
【００３６】
前記対向壁は、糸状体の走行路の一方に側部に配設されたボックスのうち、走行する糸状体に対して非接触状態で対向する対向壁で構成する場合が多い。このようなボックスには、ボックス内に加圧気体を導入するための１又は複数の導入口（ポート）が形成できる。なお、ボックスの形状は、糸状体との対向面が非接触である限り特に制限されない。
【００３７】
対向壁に形成された噴出口は、走行する糸状体に対して気体を噴射可能であればよく、連続した細幅の開口スリットで構成する必要はなく、糸状体の幅方向に対して所定間隔毎に形成された複数の噴出口（離散した噴出口）で構成してもよい。また、前記のように、噴出口は、噴射気流が糸状体の走行路を横切る１つの噴出口で構成してもよく、走行方向に対して並列に形成された複数の噴出口で構成してもよい。スリット状噴出口は、噴射気流が糸状体の走行路を横切る限り、直線状に延びていてもよく、屈曲又は湾曲して延びていてもよく、分岐していてもよい。例えば、両側部の噴出口は、糸状体の両端部方向に行くにつれて走行方向に対して上流及び下流方向に広がる形態（例えば、Ｙ字状などの形態）で分岐していてもよい。スリット状又は散在（又は離散）した複数の噴出口は、糸状体の開繊効率を高めるため、全体として、糸状体の走行方向に対してスリット状噴出口の長手方向の中央部が下流側に位置する形態（例えば、Ｖ字状又はＵ字状の形態）で形成することができる。
【００３８】
なお、糸状体の開繊においては、開繊ユニットの配設部位に応じて、非開繊状態の糸状体に気体を噴出させて糸状体を開繊してもよく、開繊した糸状体に対して気体を噴出させてもよい。
【００３９】
前記対向壁（例えば、前記ボックスのうち糸状体と対面する対向壁）の両側部に形成された側壁は、糸状体の両側部と非接触状態で形成すればよく、平坦状内壁面、湾曲状内壁面（例えば、側方に行くにつれて中央部が外方に膨出した湾曲凹面など）を形成してもよい。
【００４０】
前記の例では、延出部（閉塞カバー部）を形成しているが、前記両側壁部及び前記噴出口からの噴出気体と関連して（すなわち、前記両側壁部の形態との関係で噴出気体により）、前記対向壁の両側部に加圧気体溜部が形成できる限り、前記延出部は必ずしも必要ではない。糸状体の走行位置や開繊幅を有効かつ効率よく自動的に制御可能な前記気体溜部を形成するためには、両側壁からそれぞれ内方向（スリット状噴出口の側部又は端部方向）に向かって糸状体と非接触状態で延びる延出部（又は閉塞カバー部）を形成するのが有利である。特に、気体溜部の容積を大きくするため、両側壁の先端部（糸状体の走行方向に対する両端部）がスリット状噴出口の両側部方向に延出し、気体溜部を形成するのが有利である。すなわち、糸状体の走行方向において開口部（走行方向に対して直行する方向に延びる開口部又は走行路）の両端部は、内方へ延出する前記延出部（閉塞カバー部）により狭まっている。このような延出部を形成すると、噴出口からの噴出気体の漏出を規制できるため、前記両側壁部、延出部及び前記噴出口からの加圧気体と関連して、前記対向壁の両側部に加圧気体溜部を形成できる。
【００４１】
前記延出部（又は閉塞カバー部）は、両側部の噴出口（又はスリット状噴出口の両側部）に至るまで延出（又はカバー）している必要はなく、糸状体が走行する開口部の両側部で出入口面積が狭まっていればよいが、有効な気体溜部を形成するためには、両側部の噴出口（又はスリット状噴出口の両側部）をカバーして開口部が狭まっているのが好ましい。このような構造の開繊ユニット（バンディングジェット）では、その内部空間を広く保つことができ、気体により十分な開繊が可能である。なお、前記延出部は、両端部が開口し、この開口部を糸状体が走行可能なボックス又は枠体において、糸状体の走行方向の両端部において、糸状体と非接触状態で、内方又は狭まる方向に形成する場合が多い。
【００４２】
噴出口の両側部（又はスリット状噴出口の両側部）を延出部（又は閉塞カバー部）又はカバー部材がカバーする程度は、気体溜部の形態、気体の噴出流量などに応じて選択でき、例えば、両側部の噴出口（又はスリット状噴出口の両側部）を、全体として、１〜１０ｃｍ（換言すれば、一方の端部及び他方の端部からそれぞれ０．５〜５ｍｍ）、好ましくは２〜８ｃｍ、さらに好ましくは２〜６ｃｍ（例えば、２〜５ｃｍ）程度カバーしてもよい。
【００４３】
延出部（又は閉塞カバー部）又はカバー部材でカバーされる割合は、噴出口（又はスリット状噴出口）の長さ全体に対して、５〜６０％、好ましくは１０〜５０％（例えば、１０〜３０％）程度であってもよい。
【００４４】
気体溜部の形状は、特に制限されず、走行する糸状体の両側部側で開口した球体状、楕円体状などであってもよいが、断面コ字状又はＵ字状の形態（コ字状又はＵ字状の断面形状の内周壁）で走行する糸状体の両側部側が開口した多角体状（四角体状など）ある場合が多い。すなわち、対向壁の側部と側壁と必要により延出部とで気体溜部を形成するとともに、糸状体が走行可能なコ字状又はＵ字状ガイド部（又は開口部）を形成してもよい。
【００４５】
対向壁に対して対向する板材（対向板材）は、気体溜部を形成でき、かつ糸状体が非接触状態で走行可能である限り必ずしも必要ではない。図４は本発明の他の開繊ユニットを示す概略斜視図である。
【００４６】
この例の開繊ユニットは、スリット状噴出口３３が形成された対向壁３２を有するボックス３０と、このボックスに加圧気体を導入するための導入口（図示せず）とを備えており、対向壁３２の両側部には、内部が空洞のボックス状であり、かつ内方側（糸状体の走行側）が開口した気体溜部３８ａ，３８ｂが形成されている。すなわち、ボックス３０の両側部（又は対向壁の両側部）には、対向壁の両側部からフロント方向に延出する両側壁３５ａ，３５ｂと、これらの両側壁の上下端部（又は対向壁の上下端部）から、それぞれ、スリット状噴出口３３方向に向かって延びる延出部（又は両端閉塞カバー部）３７ａ，３７ｂと、前記ボックス３０の両側部で前記対向壁３２に対して対向し、前記両側壁３５ａ，３５ｂと延出部３７ａ，３７ｂとのフロント側の開放部を閉じる対向壁（板材又は対向板材）３４ａ，３４ｂとで、走行する糸状体の両側部で開口したボックス状気体溜部３８ａ，３８ｂが形成されている。なお、糸状体は、開繊ユニットの開口部３６を、気体溜部３８ａ，３８ｂと非接触状態で走行可能である。このような開繊ユニットでも、前記と同様に、糸状体を開繊しつつ糸状体の開繊幅及び走行位置を制御できる。
【００４７】
なお、対向壁に対して対向する板材（対向板材）を設けると、噴出気体の漏出を有効に防止できるとともに、気体溜部での気体圧を有効に高めることができ、糸状体の開繊幅及び糸状体の走行を制御するのに有用である。対向壁と板材との距離は、糸状体の種類、噴出気体の流量などに応じて選択でき、例えば、１〜２０ｍｍ、好ましくは１．５〜１０ｍｍ（例えば、１．５〜４ｍｍ）、さらに好ましくは２〜５ｍｍ（例えば、２〜３ｍｍ）程度であってもよい。
【００４８】
気体の種類は特に制限されないが、通常、空気が使用される。また、気体の流量は前記糸状体の走行安定性及び開繊幅の安定性を損なわない限り特に制限されず、開繊ユニットの内容積に応じて、例えば、３００〜５０００ｍｌ／分、好ましくは５００〜４０００ｍｌ／分、さらに好ましくは８００〜３５０００ｍｌ／分程度であってもよい。
【００４９】
前記板材（対向板材）が配設された開繊ユニットにおいて、開口部の形状は、糸状体の走行方向に対して直行する方向において、断面四角形状、前記直行する方向に細長い楕円形状であってもよく、両側部が膨出したアレイ状などであってもよい。
【００５０】
なお、前記構造の開繊ユニットは、既存の開繊ユニットにおいて、糸状体が走行する走行幅を確保しつつ、糸状体が走行する開口部の両側部をカバー可能なカバー部材（カバー治具）を装着することにより構成してもよい。このカバー部材（カバー治具）は断面Ｕ字状又はコ字状であってもよい。なお、前記延出部（閉塞カバー部）やカバー部材（カバー治具）の幅（延出長さ又はカバー長さ）を調整することにより、糸状体の開繊幅を制御できるとともに、可塑剤添着量も制御できる。
【００５１】
開繊ユニット（バンディングジェット）の配設部位は特に制限されず、糸状体の走行路の適所に配設できる。また、開繊ユニットの数も特に制限されず、例えば、１〜５程度であってもよいが、通常、糸状体繰り出し部から巻き取り部（又は可塑剤の添加ユニット）との間に３個程度配置されている。なお、フィルタプラグの巻き上げ装置において、開繊ユニットは、糸状体の走行路のうち、糸状体に対して可塑剤を添加するための添加ユニットの少なくとも上流側に設けられている。
【００５２】
前記可塑剤を糸状体に添加するための添加ユニットは、糸状体の用途に応じて、可塑剤の添加ユニットに加えて又は可塑剤の添加ユニットに代えて、種々の成分（例えば、粉粒状活性炭など）を添加する添加ユニットを配置してもよい。
【産業上の利用可能性】
【００５３】
本発明では、糸状体（アセテートトウなど）の走行を安定化させ、糸状体の開繊幅を制御しつつ有効に開繊でき、フライ及びその堆積物（特に、糸状体の幅方向の両端部に堆積するフライ）の生成を低減できる。特に、繊度の小さな繊維で構成された糸状体を高速で巻上げても、フライの生成を防止できる。そのため、本発明は紡績などの糸状体の種々の加工、例えば、フィルタプラグ（たばこ用フィルタプラグなど）の製造に適している。フィルタプラグの製造に本発明を適用すると、高速で巻上げても、可塑剤の添加ユニット（ボックス）でのケバの発生を低減でき、メルトホールの少ないフィルタプラグを得ることができる。また、可塑剤の添加量を安定化でき、フィルタプラグの通気抵抗バラツキ（ＰＤ．ＣＶ）を改善できるとともに、フィルタ硬度（フィルタプラグ硬度）を含めて品質を安定化できる。
【実施例】
【００５４】
以下に、実施例に基づいて本発明をより詳細に説明するが、本発明はこれらの実施例によって限定されるものではない。
【００５５】
実施例１
糸状体としてセルロースアセテート繊維束（単繊維度３．０（ｄｔｅｘ）、断面形状Ｙ、総繊維度３６０００（ｄｔｅｘ））を用い、フィルタプラグ巻き上げ機ＫＤＦ−２／ＡＦ２（ドイツ、ハウニ社製）を用いてフィルタプラグ（円周２４．２ｍｍ、長さ１２０ｍｍ、充填量０．６３１ｇ／ロッド）を製造した。なお、可塑剤としてトリアセチンを糸状体に対して７重量％の添加量で添加した。巻上げは、所定のロール圧（フィードロール３：０．７５ｋｇ／ｃｍ2、レシオロール４：２．０ｋｇ／ｃｍ2、デリバリロール５：２．０ｋｇ／ｃｍ2）、周速比（フィードロール３の周速Ｖ１：４７０ｍ／分、レシオロール４の周速Ｖ２：６５８ｍ／分、デリバリロール５の周速Ｖ３：４４５ｍ／分、Ｖ２／Ｖ１＝１．４０、Ｖ２／Ｖ３＝１．４８）、巻上げ速度４００ｍ／分の条件で行った。なお、１ｋｇ／ｃｍ2は９８ｋＰａ≒０．１ＭＰａである。
【００５６】
巻上げ条件において、比較例１では、既存の上記巻き上げ装置において第２の開繊ユニットの上流に位置するガイドピンを取り外し、開口部の両側部をカバー部材でカバーすることなく巻き上げ、比較例２では、第２の開繊ユニットにガイドピンを取り付け、開口部の両側部をカバー部材でカバーすることなく巻き上げた。また、実施例１では、上記ガイドピンを取り外し、第１の開繊ユニット及び第２の開繊ユニットに、開口部の両側部をカバーするカバー部材をそれぞれ取り付け、実施例２では、上記ガイドピンを取り外し、第１の開繊ユニット、第２の開繊ユニット及び第３の開繊ユニットに、開口部の両側部をカバーするカバー部材をそれぞれ取り付けて巻き上げた。この例では、開口部の幅２１ｃｍを、全体として、カバー部材で２〜４ｍｍカバーした。
【００５７】
そして、開繊幅、フライの発生量、ケバの発生量を測定した。すなわち、可塑剤添加ボックス（Ｐｚ−Ｂｏｘ）を通過後の開繊幅をトウ開繊幅測定器（サンプリング速度：０．１秒、計測時間：６０秒）で測定し、フライの発生量は、フライ収集具（エアーガン）により巻上時間１０分間でのローラーボックス（レシオロール４及びデリバリロール５を収容するボックス）内のフライを収集し重量を測定した。ケバの発生量は、巻上時間１０分間でＰｚ−Ｂｏｘ内に溜まったケバを収集し、付着した可塑剤を絞って重量を測定した。また、得られたフィルタプラグについて、フィルタプラグ重量のバラツキとともに、通気抵抗（ＰＤ）のバラツキ（ＰＤ．ＣＶ％）および可塑剤の添加量のバラツキ（Ｗｔ．ｃｖ％）を測定した。結果を表１に示す。
【００５８】
【表１】
0004627692.tif 000002
【００５９】
比較例３及び実施例３
総繊維度を３００００（ｄｔｅｘ）、フィードロールのロール圧を０．５０ｋｇ／ｃｍ2とする以外、実施例１と同様にして糸状体を巻き上げ、フィルタプラグを調製した。なお、比較例３では、第２の開繊ユニットの上流に位置するガイドピンを取り外し、開口部の両側部をカバー部材でカバーすることなく巻き上げ、実施例３では、上記ガイドピンを取り外し、第２の開繊ユニット及び第３の開繊ユニットに、開口部の両側部をカバーするカバー部材をそれぞれ取り付けて巻き上げた。
【００６０】
そして、前記実施例１と同様にして開繊幅、フライやケバの発生量、通気抵抗（ＰＤ）及び可塑剤の添加量のバラツキを評価した。結果を表２に示す。
【００６１】
【表２】
0004627692.tif 000003
【００６２】
表から明らかなように、開繊ユニットの開口部の両側部にカバー部材を取り付けることにより、開繊幅のバラツキ（ＣＶ）が小さくなり、フライ及びケバの発生量も大きく低減した。特に、第３の開繊ユニットの開口部にカバー部材を装着すると、ケバの発生量を大きく低減できた。さらに、フィルタプラグの通気抵抗及び可塑剤の添加量のバラツキも改善でき、フィルタプラグの品質を向上できた。
【図面の簡単な説明】
【００６３】
【図１】図１はたばこフィルタプラグの巻き上げ装置を示す概略図である。
【図２】図２は開繊ユニットを示す概略斜視図である。
【図３】図３は図２の開繊ユニットのフロント部を示す概略正面図である。
【図４】図４は他の開繊ユニットを示す概略斜視図である。
【符号の説明】
【００６４】
４…レシオロール
５…デリバリロール
６…添加ユニット
１０，１１，１２…開繊ユニット
Ｓ…糸状体
２０，３０…ボックス
２１…導入口
２２，３２…対向壁
２３，３３…スリット状噴出口
２４，３４ａ，３４ｂ…板材
２５ａ，２５ｂ，３５ａ，３５ｂ…両側壁部
２６，３６…開口部（走行空間）
２７ａ，２７ｂ，３７ａ，３７ｂ…延出部
２８ａ，２８ｂ，３８ａ，３８ｂ…加圧気体溜部
【図１】
0004627692.tif 000004
【図２】
0004627692.tif 000005
【図３】
0004627692.tif 000006
【図４】
0004627692.tif 000007